(57)【要約】  【課題】既存のストラップに簡単に適用できて、ストラップ端部同士の接続状態を有効に補強し得るストラップ補助具を提供する。【解決手段】第１のネックストラップ１と第２のネックストラップのストラップ端部同士を接続するにあたり、雄型接続部Ｍ１（Ｍ２）の貫通孔３９及び雌型接続部Ｆ２（Ｆ１）の貫通孔３８に同時に差し込み可能な一対の規制突起４５、４４を有する補助具本体４１と、第２のネックストラップ２のストラップ端部に設けた環状部２ｘに係り合い可能な掛止部４２とを一体的に設け、掛止部４２を基点に補助具本体４１を回転させて接続状態にある雄型接続部Ｍ１（Ｍ２）及び雌型接続部Ｆ２（Ｆ１）に被せるように取り付けることによって、両規制突起４５，４４の差込位置で雄型接続部Ｍ１（Ｍ２）及び雌型接続部Ｆ２（Ｆ１）の離反動作を規制するようにした。  【選択図】図９
2008142277.tif 000002
【特許請求の範囲】
【請求項１】
互いに係脱自在な雄型接続部及び雌型接続部にそれぞれ挿し通し部を設け、接続すべき一対のストラップ端部の一方を雄型接続部の挿し通し部に、他方を雌型接続部の挿し通し部にそれぞれ挿し通して抜け止め部を形成したストラップ装置に適用されるものであって、
雄型接続部の挿し通し部及び雌型接続部の挿し通し部に同時に差し込み可能な一対の規制突起を有する補助具本体と、何れか一方のストラップ端部の抜け止め部若しくはその近傍に係り合い可能な掛止部とを一体的に設け、掛止部を基点に補助具本体を回転させて接続状態にある雄型接続部及び雌型接続部に被せるように取り付けることによって、両規制突起の差込位置で雄型接続部及び雌型接続部の離反動作を規制するようにしたことを特徴とするストラップ補助具。
【請求項２】
互いに係脱自在な雄型接続部及び雌型接続部にそれぞれ挿し通し部を設け、接続すべき一対のストラップ端部の一方を雄型接続部の挿し通し部に、他方を雌型接続部の挿し通し部にそれぞれ挿し通した状態に保持してなるストラップ装置に適用されるものであって、
雄型接続部の挿し通し部及び雌型接続部の挿し通し部に同時に差し込み可能な一対の規制突起を有する補助具本体と、これらの規制突起に挿し通し部からの離脱力を与えるための操作片とを一体的に設け、補助具本体を接続状態にある雄型接続部及び雌型接続部に被せるように取り付けることによって、両規制突起の差込位置で雄型接続部及び雌型接続部の離反動作を規制するようにしたことを特徴とするストラップ補助具。
【請求項３】
互いに係脱自在な雄型接続部及び雌型接続部にそれぞれ挿し通し部を設け、接続すべき一対のストラップ端部の一方を雄型接続部の挿し通し部に、他方を雌型接続部の挿し通し部にそれぞれ挿し通して抜け止め部を形成したストラップ装置に適用されるものであって、
雄型接続部の挿し通し部及び雌型接続部の挿し通し部に同時に差し込み可能な一対の規制突起を有する補助具本体と、何れか一方のストラップ端部の抜け止め部若しくはその近傍に係り合い可能な掛止部と、これらの規制突起に挿し通し部からの離脱力を与えるための操作片とを一体的に設け、掛止部を基点に補助具本体を回転させて接続状態にある雄型接続部及び雌型接続部に被せるように取り付けることによって、両規制突起の差込位置で雄型接続部及び雌型接続部の離反動作を規制するようにしたことを特徴とするストラップ補助具。
【請求項４】
少なくともストラップ補助具の掛止部が係り合う抜け止め部が、ストラップ端部をループ状に閉じた形状に保持することによって構成した環状部である請求項１又は３記載のストラップ補助具。
【請求項５】
掛止部が、フック状のものである請求項１、３又は４記載のストラップ補助具。
【請求項６】
補助具本体が板状部に一対の規制突起を設けたものであり、操作片がその板状部の一部を接続部から離れる方向に反り返らせることによって形成したものである請求項２又は３記載のストラップ補助具。
【請求項７】
補助具本体に、少なくとも雄型接続部又は雌型接続部の何れか一方に弾性的に係り合ってこれらの規制突起を差込位置に保持する弾性係り合い部を設けている請求項１〜６記載のストラップ補助具。
【請求項８】
弾性係り合い部が、補助具本体を両接続部に被せた際に裏面側に回り込んだ位置に係り合う爪部を有する請求項７記載のストラップ補助具。
【請求項９】
雌型接続部には嵌合口部が設けられて、雄型接続部の嵌合突起が差し込まれ、挿し込み位置で雄型接続部に設けた係合爪を兼ねる操作部が雌型接続部に設けた操作窓に弾性により係り合って挿し込み位置を保持するものであって、補助具本体から立ち上がって爪部に至る弾性係り合い部が操作部をカバーするように構成されている請求項８記載のストラップ補助具。
【発明の詳細な説明】
【技術分野】
【０００１】
本発明は、既存のストラップに適用してその接続部の強度を有効に高め得るようにしたストラップ補助具に関するものである。
【背景技術】
【０００２】
近時のオフィス等においては、名刺ホルダや携帯電話などをストラップに吊り下げて携帯するケースが日常的ともなっている。この場合、既存のハンドストラップをネックストラップ状態で使用したい場合や、既存のネックストラップとハンドストラップとを合体させたい場合、或いは既存のネックストラップ同士を合体させたい場合など、その利用の態様は様々である。これと同様の趣旨で、例えば特許文献１に示す吊り下げ具等が開発されている。
【０００３】
この吊り下げ具は、互いに係脱自在な雄型接続部及び雌型接続部を両端に装着したネックストラップと、互いに係脱自在であって前記と同形の雄型接続部及び雌型接続部を両端に装着したハンドストラップとをセットで備えると共に、前記ネックストラップの雄型接続部又は雌接続部と前記ハンドストラップの雌接続部又は雄接続部とが互いに係脱自在とされて、吊り下げ具が構成されている。
【０００４】
雌型接続部には嵌合口部が設けられて、雄型接続部の嵌合突起が差し込まれ、挿し込み位置で雄型接続部の係合爪を兼ねる操作部が雌型接続部に設けた操作窓に弾性により係り合って、挿し込み位置を保持するようになっている。
【０００５】
このような雄雌接続構造は、特許文献２においてはハンドストラップとショルダーストラップとの間に採用されている。
【特許文献１】特開２００２−５１８２４号公報
【特許文献２】実開平３−３５７２７号公報
【発明の開示】
【発明が解決しようとする課題】
【０００６】
ところが、このような構造であると、負荷荷重が大きい場合や、誤ってストラップが何らかの部材や物品に引っ掛かった場合等に、雄型接続部と雌型接続部との間に離反方向の力が掛かり、接続部が解離し易い。このため、頻繁に外れて使用状態が安定しないという不都合や、携帯電話等の物品が不慮に落下して破損に至る等の不都合が生じ易いものとなっている。
【０００７】
本発明は、これらに簡単に適用して叙述した不都合を好適に解消し得るようにしたストラップ補助具を新たに提供しようとするものである。
【課題を解決するための手段】
【０００８】
本発明は、かかる目的を達成するために、次のような手段を講じたものである。
【０００９】
すなわち、本発明のストラップ補助具は、互いに係脱自在な雄型接続部及び雌型接続部にそれぞれ挿し通し部を設け、接続すべき一対のストラップ端部の一方を雄型接続部の挿し通し部に、他方を雌型接続部の挿し通し部にそれぞれ挿し通して抜け止め部を形成したストラップ装置に適用されるものであって、雄型接続部の挿し通し部及び雌型接続部の挿し通し部に同時に差し込み可能な一対の規制突起を有する補助具本体と、何れか一方のストラップ端部の抜け止め部若しくはその近傍に係り合い可能な掛止部とを一体的に設け、掛止部を基点に補助具本体を回転させて接続状態にある雄型接続部及び雌型接続部に被せるように取り付けることによって、両規制突起の差込位置で雄型接続部及び雌型接続部の離反動作を規制するようにしたことを特徴とする。
【００１０】
このように構成すれば、既存のストラップ装置に取り付けるだけで接続部分を簡単、確実に補強することができる。しかも、掛止部によってストラップ補助具をストラップに、必要な時に即座に使える状態で付帯させておくことができ、接続部に対する脱着も掛止部を基点とする回転操作によって簡単に行うことが可能となる。
【００１１】
また、本発明の他の構成としては、互いに係脱自在な雄型接続部及び雌型接続部にそれぞれ挿し通し部を設け、接続すべき一対のストラップ端部の一方を雄型接続部の挿し通し部に、他方を雌型接続部の挿し通し部にそれぞれ挿し通した状態に保持してなるストラップ装置に適用されるものであって、雄型接続部の挿し通し部及び雌型接続部の挿し通し部に同時に差し込み可能な一対の規制突起を有する補助具本体と、これらの規制突起に挿し通し部からの離脱力を与えるための操作片とを一体的に設け、補助具本体を接続状態にある雄型接続部及び雌型接続部に被せるように取り付けることによって、両規制突起の差込位置で雄型接続部及び雌型接続部の離反動作を規制するようにしたことを特徴とする。
【００１２】
このように構成すれば、既存のストラップ装置に取り付けるだけで接続部分を簡単に補強することができる点で上記と同様である。しかも、操作片を操作すれば規制突起を挿し通し部から簡単に離脱させることができるので、規制突起を挿し通し部に緊密に挿し通すように構成して的確な付帯状態を確保しても操作上の不都合を有効に回避することが可能となる。
【００１３】
勿論、これらの構成を同時に満たすストラップ補助具を構成すれば、各々の作用効果を同時に実現することができるのは言うまでもない。
【００１４】
掛止部をより簡単、的確に機能させるためには、少なくともこの掛止部が係り合う抜け止め部が、ストラップ端部をループ状に閉じた形状に保持することによって構成した環状部であることが好ましい。
【００１５】
同様の趣旨で、掛止部をフック状のものにしておくことが好適である。
【００１６】
ストラップ補助具が取付状態で邪魔にならず、取り外しにも適したものであるためには、補助具本体が板状部に一対の規制突起を設けたものであり、操作片がその板状部の一部を接続部から離れる方向に反り返らせることによって形成したものであることが好適である。
【００１７】
補助具本体の接続部からの浮き上がりをより適切に防止するためには、補助具本体に、少なくとも雄型接続部又は雌型接続部の何れか一方に弾性的に係り合ってこれらの規制突起を差込位置に保持する弾性係り合い部を設けておくことが効果的である。
【００１８】
特に、かかる浮き上がり動作に対してより実効ある構成としては、弾性係り合い部が、補助具本体を両接続部に被せた際に裏面側に回り込んだ位置に係り合う爪部を有しているものが挙げられる。
【００１９】
適用対象である雌型接続部に嵌合口部が設けられて、この嵌合口部に雄型接続部の嵌合突起が差し込まれ、挿し込み位置で雄型接続部に設けた係合爪を兼ねる操作部が雌型接続部に設けた操作窓に弾性により係り合って挿し込み位置を保持する構造である場合に、不慮に操作部が押し込まれるのを防止するためには、補助具本体から立ち上がって爪部に至る弾性係り合い部が操作部をカバーするように構成しておくことが好ましい。
【発明の効果】
【００２０】
本発明は、以上説明した構成であるから、既存のハンドストラップやネックストラップに適用してその接続部を簡単、確実に補強することができるほか、ハンドストラップとネックストラップを組み合わせて使用する際の接続部や、ハンドストラップ同士、ネックストラップ同士を組み合わせて使用する際の接続部にも有効に適用して比較的大きい負荷や瞬発的な負荷に対して接続部が外れ難い状態を有効に実現して、安定した使用状態と、不慮の落下による物品の破損事故等を有効に防止することが可能となる。
【発明を実施するための最良の形態】
【００２１】
以下、本発明の一実施形態を、図面を参照して説明する。
【００２２】
図１は、この実施形態のストラップ補助具が適用されるネックストラップ装置Ａを示し、図２はそのストラップ補助具４を適用したネックストラップ装置Ｂを示している。ネックストラップ装置Ａ、Ｂは、第１のネックストラップ１及び第２のネックストラップ２同士を接続してなるもので、第１のネックストラップ１の一方の端部に取り付けた雄型接続部Ｍ１と第２のネックストラップ２の一方の端部に取り付けた雌型接続部Ｆ２との間、及び、第１のネックストラップ１の他方の端部に取り付けた雌型接続部Ｆ１と第２のネックストラップの他方の端部に取り付けた雄型接続部Ｍ２との間を接続して、全体として大きなネックストラップＡを構成し、第１のネックストラップ１を首に掛けた状態で第２のネックストラップ２を吊り下げて使用するようにしたものである。第１のネックストラップ１はネックレスとして既存のものであり、通常はその両ストラップ端部に設けた雄型接続部Ｍ１、雌型接続部Ｆ１同士を接続して単体で用いるものである。第２のネックストラップ２は名刺ホルダ２１を首から吊り下げるために用いられる既存のもので、通常はその両ストラップ端部に設けた雄型接続部Ｍ２、雌型接続部Ｆ２同士を接続して単体で用いるものである。この第２のネックストラップ２は首に掛けたままで名刺ホルダ２１を提示できるように伸縮可能な巻き取り部２２が介在させてあり、必要に応じて巻き取り部分２２から延長紐を繰り出すことができるようになっている。
【００２３】
雌型接続部Ｆ１，Ｆ２は、図３に示すように端部に嵌合口部３１を有し、側面に括れ部３２を有するもので、前記嵌合口部３１はその括れ部３２に設けた操作窓３３において側方に開放されている何れも同形のものである。また、雄型接続部Ｍ２，Ｍ１は、前記嵌合口部３１に差し込まれる３本の嵌合突起３４，３５，３６と、このうち外側２本の嵌合突起３４，３６の先端に外側方に膨出させて設けた係合爪を兼ねる操作部３７とからなる何れも同形のものである。何れも樹脂一体成形品である。
【００２４】
そして、雄型接続部Ｍ１（Ｍ２）を雌型接続部Ｆ２（Ｆ１）に挿し込むことにより、操作部３７が設けられた嵌合突起３５，３６同士が嵌合口部３１に進入する際に互いに相寄る方向にすぼめられ、操作部３７が操作窓３３に臨む位置に達した際に、図４に示すように弾性反発力で操作部３７が操作窓３３に突出して、操作窓３３が当該操作窓３３の縁部に係り合う係合爪としての役割を担うようになっている。この状態から雄型接続部Ｍ１（Ｍ２）と雌型接続部Ｆ２（Ｆ１）とを引き離すには、操作部３７を指で摘んで操作窓３３から没入させ、その状態で雄型接続部Ｍ１（Ｍ２）と雌型接続部Ｆ２（Ｆ１）とを離反させる方向に操作力を加えればよく、これにより嵌合突起３４〜３６が嵌合口部３１から離脱する。雄型接続部Ｍ１，Ｍ２及び雌型接続部Ｆ１，Ｆ２には、それぞれ挿し通し部たる貫通孔３８，３９が設けてあり、この貫通孔３８，３９にネックストラップ１，２のストラップ端部が挿し通されて抜け止め部が形成されている。この実施形態の場合、図５に示すように、第１のネックストラップ１の抜け止め部はストラップ端部をループ状に閉じた状態に保持することによって構成した環状部１ｘであり、第２のネックストラップ２の抜け止め部もストラップ端部をループ状に閉じた状態に保持することによって構成した環状部２ｘである。
【００２５】
一方、ストラップ補助具４は、図６〜図８に示すように、板状部４ａを主体とする補助具本体４１の基端にフック状をなす掛止部４２を設け、先端に反り返った操作片４３を形成するとともに、板状部４ａの裏面に一対の規制突起４４，４５を突出させ、更に板状部４ａの左右の側縁に弾性係り合い部４６を突出させてその突出端部に互いに相寄る方向の爪部４７を形成した樹脂一体成形品である。
【００２６】
掛止部４２は、ストラップを少し潰しながらその内側の孔部４２ａに受容することによって図２に示すようにストラップ紐に付帯されるようにしてあり、その孔部４２ａの入口にはストラップ紐が容易に離脱することを規制する凸部４２ｂが設けてある。規制突起４４，４５は、接続状態にある図４の雄型接続部Ｍ１（Ｍ２）及び雌型接続部Ｆ２（Ｆ１）の挿し通し部たる貫通孔３８，３９に同時に挿し込み可能な位置にあり、且つそれらの貫通孔３８，３９に緊密に差し込まれる円弧面４４ａ、４５ａを有している。弾性係り合い部４６は、爪部４７に弾性を与えるとともに、雌型接続部Ｆ１，Ｆ２の操作窓３３をそこに表出した操作部３７とともに覆うカバーとしての役割も担っている。
【００２７】
すなわち、この補助具４は、図２及び図９に示すように掛止部４２を第２のネックストラップ２の環状部２ｘに係り合わせ、これを基点に補助具４を図９に矢印で示すように回転させて雄型接続部Ｍ１（Ｍ２）及び雌型接続部Ｆ２（Ｆ１）に被せた状態にすることによって、補助具本体４１の板状部４ａの２箇所に設けた規制突起４４，４５を同時に雄型接続部Ｍ１（Ｍ２）の貫通孔３９及び雌型接続部Ｆ２（Ｆ１）の貫通孔３８に差し込んで離反動作を規制するとともに、補助具本体４１の板状部４ａの側縁に突出させた弾性係り合い部４６を図１０に示すように操作窓３３及び操作部３７を覆う位置に位置づけ、かつその先端に設けた爪部４７を図１０及び図１１に示すように両接続部Ｍ１，Ｆ２（Ｍ２，Ｆ１）の裏面に回り込んだ位置に係り合わせるようにしている。
【００２８】
以上のように、この実施形態のストラップ装置Ａは、互いに係脱自在な雄型接続部Ｍ１（Ｍ２）及び雌型接続部Ｆ２（Ｆ１）にそれぞれ挿し通し部たる貫通孔３９，３８を設け、接続すべき一対のストラップ端部の一方を雄型接続部Ｍ１（Ｍ２）の貫通孔３９に、他方を雌型接続部Ｆ２（Ｆ１）の貫通孔３８にそれぞれ挿し通して抜け止め部である環状部１ｘ、２ｘを形成した図１のストラップ装置Ａに適用されて図２のような補強状態を実現するものである。
【００２９】
そして、雄型接続部Ｍ１（Ｍ２）の貫通孔３９及び雌型接続部Ｆ２（Ｆ１）の貫通孔３８に同時に差し込み可能な一対の規制突起４５、４４を有する補助具本体４１と、第２のネックストラップ２のストラップ端部に設けた環状部２ｘに係り合い可能な掛止部４２とを一体的に設け、掛止部４２を基点に補助具本体４１を回転させて接続状態にある雄型接続部Ｍ１（Ｍ２）及び雌型接続部Ｆ２（Ｆ１）に被せるように取り付けることによって、両規制突起４５，４４の差込位置で雄型接続部Ｍ１（Ｍ２）及び雌型接続部Ｆ２（Ｆ１）の離反動作を規制するようにしている。
【００３０】
このため、既存のストラップ装置Ａに取り付けるだけで接続部分を簡単、確実に補強することができる。しかも、掛止部４２によってストラップ補助具４を第２のネックストラップ２に必要な時に即座に使える状態で付帯させておくことができ、接続部Ｍ１（Ｍ２），Ｆ２（Ｆ１）に対する脱着も掛止部４２を基点とする回転操作によって平易に行うことができる使い勝手に優れたものとして利用に供することができる。
【００３１】
また、上記補助具本体４１には、両規制突起４５，４４に貫通孔３９，３８からの離脱力を与えるための操作片４３も一体的に設けてあり、操作片４３を操作すれば規制突起４５，４４を貫通孔３９，３８から簡単に離脱させることができるので、規制突起４５，４４を貫通孔３９，３８に緊密に差し込むように構成して的確な付帯状態を確保しても、操作上の不都合を有効に回避することが可能となる。
【００３２】
ストラップ補助具４の取り付けに際して、ストラップ補助具４の掛止部４２が係り合う抜け止め部として、ストラップ端部をループ状に閉じた形状に保持することによって構成した環状部２ｘを利用しているため、既存の第２のネックストラップ２に簡単に取り付けることができ、別段の加工等を不要にすることができる。
【００３３】
その掛止部４２は、フック状のものであるので、ストラップ２に対する脱着がワンタッチで可能となり、しかも一旦取り付けたら外れ難い状態を容易に実現することができる。
【００３４】
具体的構造としては、補助具本体４１が板状部４ａに一対の規制突起４５，４４を設けたものであり、操作片４３がその板状部４１の一部を接続部Ｍ１（Ｍ２）から離れる方向に反り返らせることによって形成しているので、板状部４ａを接続部Ｍ１（Ｍ２）に重合させることによって操作片を含めて比較的邪魔にならない状態で取り付けることができ、しかも操作片４３は板状部４ａを反り返らせたものであって接続部Ｍ１（Ｍ２）との間に隙間が存するため、指による引っ掛けを通じてストラップ補助具４の取り外し操作も容易に行うことができる。
【００３５】
さらに、補助具本体４１に、雄型接続部Ｍ１（Ｍ２）や雌型接続部Ｆ２（Ｆ１）に弾性的に係り合ってこれらの規制突起３９，３８を差込位置に保持する弾性係り合い部４６を設けているので、補助具本体４１の接続部Ｍ１（Ｍ２），Ｆ２（Ｆ１）からの浮き上がりを防止して取付状態をより確実ならしめることができる。
【００３６】
特に、弾性係り合い部４６が、補助具本体４１を両接続部Ｍ１（Ｍ２），Ｆ２（Ｆ１）に被せた際に裏面側に回り込んだ位置に係り合う爪部４７を有しているため、補助具本体４１の接続部Ｍ１（Ｍ２），Ｆ２（Ｆ１）からの浮き上がり動作に対して的確な規制効果が働くこととなる。
【００３７】
接続部Ｍ１（Ｍ２），Ｆ２（Ｆ１）の構造との関係から言えば、この実施形態のネックストラップ１，２の雌型接続部Ｆ２（Ｆ１）には嵌合口部３１が設けられて、雄型接続部Ｍ１（Ｍ２）の嵌合突起３４，３５，３６が差し込まれ、挿し込み位置で雄型接続部３５，３６に設けた係合爪を兼ねる操作部３７が雌型接続部Ｆ２（Ｆ１）に設けた操作窓３３に弾性により係り合って挿し込み位置を保持するものであって、ストラップ補助具４は、補助具本体４１から立ち上がって爪部４７に至る弾性係り合い部４６が操作部３７をカバーする状態となるので、補助具本体４１を操作しない限り操作部３７にアクセスすることが禁止され、不慮に操作部３７が押し込まれる事態を有効に防止することができる。
【００３８】
以上のように、本実施形態のストラップ補助具は、図２のように第１のネックストラップ１の一方の端部に取り付けた雄型接続部Ｍ１と第２のネックストラップ２の一方の端部に取り付けた雌型接続部Ｆ２との間、及び、第１のネックストラップ１の他方の端部に取り付けた雌型接続部Ｆ１と第２のネックストラップ２の他方の端部に取り付けた雄型接続部Ｍ２との間に適用してストラップ装置Ｂを構成した場合に、名刺ホルダ２１を差し出す際の引張り力で安易に接続部が解除される事態等を有効に防止することができる。勿論、他の用途として、ハンドストラップ状態とネックストラップ状態との間で頻繁に使用状態を切り替える必要がある２つのストラップの接続部分に対しても、脱着容易性を確保しつつその接続状態を確実ならしめることができる。したがって、この場合には、繰り返し使用されることにより部材が多少疲磨耗変形等しても、接続部分の適切な脱着効果を維持することができる。
【００３９】
一方、このストラップ補助具４は、第２のネックストラップ２のストラップ端部に設けた雄型接続部Ｍ２と雌型接続部Ｆ２とを接続する場合にも同様に適用することができるので、ネックストラップ２を単体で使用する際にも、引っ張り負荷等に対して的確な接続状態を維持することが可能となる。勿論、負荷の大きいハンドストラップの接続部分を補強する上でも有効であるのは勿論である。
【００４０】
なお、各部の具体的な構成は、上述した実施形態のみに限定されるものではなく、本発明の趣旨を逸脱しない範囲で種々変形が可能である。
【００４１】
例えば、上記実施形態では第１のネックストラップ１、第２のネックストラップともに、抜け止め部がストラップ端部をループ状に閉じた状態に保持することによって構成した環状部１ｘであったが、例えば図１２に示すように、第１のネックストラップ１の抜け止め部がストラップ端部に取り付けた止め輪１０１ｘにより構成されている場合にも、ストラップ補助具４の掛止部４２を第２のネックストラップ２の環状部２ｘに係り合わせれば所期の取付状態を有効に実現することができる。勿論、第２のネックストラップ２側の抜け止め部が止め輪である場合も同様である。
【図面の簡単な説明】
【００４２】
【図１】本発明の一実施形態が適用されるネックストラップ装置の全体図。
【図２】同ネックストラップ装置に本発明のストラップ補助具を適用した状態を示す全体図。
【図３】同実施形態における雄型接続部及び雌型接続部の斜視図。
【図４】同実施形態における雄型接続部と雌型接続部とを接続した状態の平面図。
【図５】図４の縦断面図。
【図６】同実施形態に係るストラップ補助具の斜め上方斜視図。
【図７】同実施形態に係るストラップ補助具の斜め下方斜視図。
【図８】同実施形態に係るストラップ補助具の底面図。
【図９】同実施形態に係るストラップ補助具を雄型接続部と雌型接続部との接続部分に適用した状態を示す縦断面図。
【図１０】図９の底面図。
【図１１】図９の横断面図。
【図１２】本発明の変形例を示す図。
【符号の説明】
【００４３】
１ｘ…抜け止め部（環状部）
２ｘ…抜け止め部（環状部）
４…補助具
４ａ…板状部
３１…嵌合口部
３４、３５，３６…嵌合突起
３７…操作部
３８，３９…挿し通し部（貫通孔）
４１…補助具本体
４２…掛止部
４３…操作片
４４，４５…規制突起
４６…弾性係り合い部
４７…爪部
Ｍ１，Ｍ２…雄型接続部
Ｆ１、Ｆ２…雌型接続部
【図１】
2008142277.tif 000003
【図２】
2008142277.tif 000004
【図３】
2008142277.tif 000005
【図４】
2008142277.tif 000006
【図５】
2008142277.tif 000007
【図６】
2008142277.tif 000008
【図７】
2008142277.tif 000009
【図８】
2008142277.tif 000010
【図９】
2008142277.tif 000011
【図１０】
2008142277.tif 000012
【図１１】
2008142277.tif 000013
【図１２】
2008142277.tif 000014